(57)【要約】【課題】  外気温度に影響されることなく定量抽出を行うことができる氷ディスペンサを提供するものである。【解決手段】  外壁に冷却器２が設けられた冷却円筒１５と、冷却円筒１５内に同心的且つ回転可能に挿入されたオーガ１６と、オーガ１６を回転駆動するオーガモータ４５とを備え、冷却円筒１５の内壁に生成した氷をオーガ１６により削取し、上方に移送して圧縮することにより、連続的に氷片を生成して貯氷庫１９に貯留する製氷機ＩＭを備えた氷ディスペンサＩＤにおいて、オーガモータ４５及びコンプレッサ４の運転を制御する制御手段を備え、制御手段は、外気温度に基づく指標により製氷量を推定し、貯氷庫１９のシャッタ２９開閉時間から氷の抽出量を推定すると共に、外気温度に基づく指標により貯氷庫１９内における氷の融解量を推定し、これら製氷量、抽出量及び融解量より貯氷庫１９内における貯氷量を推定する。【選択図】図３
2005257159.tif 000002
【特許請求の範囲】
【請求項１】
外壁に冷却器が設けられた冷却円筒と、該冷却円筒内に同心的且つ回転可能に挿入されたオーガと、該オーガを回転駆動するオーガモータと、前記冷却器と共に冷却装置の冷媒回路を構成するコンプレッサ及びコンデンサとを備え、前記冷却円筒の内壁に生成した氷を前記オーガにより削取し、上方に移送して圧縮することにより、連続的に氷片を生成して貯氷庫に貯留するオーガ式製氷機を搭載した氷ディスペンサにおいて、
前記オーガモータ及びコンプレッサの運転を制御する制御装置を備え、
該制御装置は、外気温度に基づく指標により製氷量を推定し、前記貯氷庫の扉開閉時間から氷の抽出量を推定すると共に、前記外気温度に基づく指標により前記貯氷庫内における氷の融解量を推定し、これら製氷量、抽出量及び融解量より前記貯氷庫内における貯氷量を推定することを特徴とする氷ディスペンサ。
【請求項２】
前記制御装置は、前記貯氷庫の扉開放時間によって氷の定量抽出を行うと共に、推定した前記貯氷量に基づき、前記扉開放時間を補正することを特徴とする請求項１の氷ディスペンサ。
【請求項３】
前記制御装置は、複数のスイッチに対応した複数の抽出量にて氷の定量抽出を実行することを特徴とする請求項１の氷ディスペンサ。
【請求項４】
前記制御装置は、推定した前記貯氷量が所定の下限値より減少した場合、所定の警報動作を行うと共に、前記扉開放時間を延長することを特徴とする請求項２又は請求項３の氷ディスペンサ。
【請求項５】
前記制御装置は、推定した前記貯氷量が前記下限値よりも少ない補充値より減少した場合、前記警報動作とは異なる所定の警報動作を行うことを特徴とする請求項４の氷ディスペンサ。
【請求項６】
前記制御装置は、推定した前記貯氷量がある状態で電源がＯＦＦされた場合、所定の警報動作を実行することを特徴とする請求項１、請求項２、請求項３、請求項４又は請求項５の氷ディスペンサ。
【請求項７】
前記制御装置は、推定した前記貯氷量がある状態で所定時間以上氷の抽出が無かった場合、所定の警報動作を実行することを特徴とする請求項１、請求項２、請求項３、請求項４、請求項５又は請求項６の氷ディスペンサ。
【請求項８】
前記外気温度に基づく指標は前記コンデンサの温度であることを特徴とする請求項１、請求項２、請求項３、請求項４、請求項５、請求項６又は請求項７の氷ディスペンサ。
【請求項９】
前記貯氷庫は、該貯氷庫内の満氷を検知する貯氷センサを備え、前記制御装置は、前記貯氷センサの満氷検知に基づき、推定した前記貯氷量をリセットすることを特徴とする請求項１、請求項２、請求項３、請求項４、請求項５、請求項６、請求項７又は請求項８の氷ディスペンサ。
【請求項１０】
前記貯氷庫は、該貯氷庫内の満氷を検知する貯氷センサを備え、前記制御装置は、前記オーガ式製氷機において所定時間連続して製氷を行ったにも拘わらず前記貯氷センサが満氷を検知しない場合、所定の警報動作を実行することを特徴とする請求項１、請求項２、請求項３、請求項４、請求項５、請求項６、請求項７、請求項８又は請求項９の氷ディスペンサ。
【発明の詳細な説明】
【技術分野】
【０００１】
本発明は、氷片（チップアイス）を連続的に製造するオーガ式製氷機を搭載した氷ディスペンサに関するものである。
【背景技術】
【０００２】
従来よりこの種氷ディスペンサに搭載されたオーガ式製氷機は、冷媒が通る通路（冷却器）を外面に設けた冷却円筒内にオーガを回転可能に挿入し、冷却円筒内には給水管から製氷用の水を供給すると共に、モータによってオーガを回転駆動して前記冷却円筒の内壁に生成した氷を削取しつつ上方に移送し、圧縮することによって連続的に氷片を生成するよう構成されている（例えば特許文献１参照。）。
【０００３】
特に、氷の定量抽出を行う氷ディスペンサなどに用いられるオーガ式製氷機では、生成された氷は、例えば冷却円筒の上方に設けられる貯氷庫に貯氷される。そして、使用者の氷抽出を指示するスイッチ操作に基づき、貯氷庫の下部に形成されたシャッタ（開閉扉）を開閉し、所定量の氷の抽出を行っている。このとき、抽出される氷は、シャッタの開閉時間に基づいて定量抽出される。
【特許文献１】特公平３−４８２７号公報
【発明の開示】
【発明が解決しようとする課題】
【０００４】
一方、冷却円筒内において生成される氷の量、即ち製氷量は、外気温度の上昇により、減少する。他方、貯氷庫内に蓄えられる氷の融解量は、外気温度の上昇により増加する。そのため、外気温度の影響により、貯氷庫内に蓄えられる貯氷量は、著しく変動する。しかしながら、従来の製氷機では、氷の抽出は、上述したようにシャッタの開閉時間に基づいて行われていたため、貯氷量に応じて抽出量が変動する問題があった。
【０００５】
そのため、夏季など外気温度が高い場合には、冬季など外気温度が低い場合に比してオーガモータやコンプレッサの運転量に対し貯氷量が少なくなるのに対し、シャッタの開閉時間が変更されないことから、安定した氷の定量抽出を行うことができないという問題があった。
【課題を解決するための手段】
【０００６】
本発明の氷ディスペンサは、外壁に冷却器が設けられた冷却円筒と、該冷却円筒内に同心的且つ回転可能に挿入されたオーガと、該オーガを回転駆動するオーガモータと、冷却器と共に冷却装置の冷媒回路を構成するコンプレッサ及びコンデンサとを備え、冷却円筒の内壁に生成した氷をオーガにより削取し、上方に移送して圧縮することにより、連続的に氷片を生成して貯氷庫に貯留するオーガ式製氷機を搭載したものであって、オーガモータ及びコンプレッサの運転を制御する制御装置を備え、該制御装置は、外気温度に基づく指標により製氷量を推定し、貯氷庫の扉開閉時間から氷の抽出量を推定すると共に、外気温度に基づく指標により貯氷庫内における氷の融解量を推定し、これら製氷量、抽出量及び融解量より貯氷庫内における貯氷量を推定するものである。
【０００７】
請求項２の発明の氷ディスペンサは、上記発明において、制御装置は、貯氷庫の扉開放時間によって氷の定量抽出を行うと共に、推定した貯氷量に基づき、扉開放時間を補正するものである。
【０００８】
請求項３の発明の氷ディスペンサは、請求項１の発明において、制御装置は、複数のスイッチに対応した複数の抽出量にて氷の定量抽出を実行するものである。
【０００９】
請求項４の発明の氷ディスペンサは、請求項２又は請求項３の発明において、制御装置は、推定した貯氷量が所定の下限値より減少した場合、所定の警報動作を行うと共に、扉開放時間を延長するものである。
【００１０】
請求項５の発明の氷ディスペンサは、上記発明において、制御装置は、推定した貯氷量が下限値よりも少ない補充値より減少した場合、警報動作とは異なる所定の警報動作を行うものである。
【００１１】
請求項６の発明の氷ディスペンサは、上記各発明において、制御装置は、推定した貯氷量がある状態で電源がＯＦＦされた場合、所定の警報動作を実行するものである。
【００１２】
請求項７の発明の氷ディスペンサは、上記各発明において、制御装置は、推定した貯氷量がある状態で所定時間以上氷の抽出が無かった場合、所定の警報動作を実行するものである。
【００１３】
請求項８の発明の氷ディスペンサは、上記各発明において、外気温度に基づく指標はコンデンサの温度であるものとする。
【００１４】
請求項９の発明の氷ディスペンサは、上記各発明において、貯氷庫は、該貯氷庫内の満氷を検知する貯氷センサを備え、制御装置は、貯氷センサの満氷検知に基づき、推定した貯氷量をリセットするものである。
【００１５】
請求項１０の発明の氷ディスペンサは、上記各発明において、貯氷庫は、該貯氷庫内の満氷を検知する貯氷センサを備え、制御装置は、オーガ式製氷機において所定時間連続して製氷を行ったにも拘わらず貯氷センサが満氷を検知しない場合、所定の警報動作を実行するものである。
【発明の効果】
【００１６】
本発明では、外壁に冷却器が設けられた冷却円筒と、この冷却円筒内に同心的且つ回転可能に挿入されたオーガと、このオーガを回転駆動するオーガモータと、冷却器と共に冷却装置の冷媒回路を構成するコンプレッサ及びコンデンサとを備え、冷却円筒の内壁に生成した氷をオーガにより削取し、上方に移送して圧縮することにより、連続的に氷片を生成して貯氷庫に貯留するオーガ式製氷機を搭載した氷ディスペンサにおいて、オーガモータ及びコンプレッサの運転を制御する制御装置を備え、この制御装置は、外気温度に基づく指標により製氷量を推定し、貯氷庫の扉開閉時間から氷の抽出量を推定すると共に、外気温度に基づく指標により貯氷庫内における氷の融解量を推定し、これら製氷量、抽出量及び融解量より貯氷庫内における貯氷量を推定するので、請求項２の如く貯氷庫の扉開放時間によって氷の定量抽出を行うときに、この推定した前記貯氷量に基づき、扉開放時間を補正すれば、氷の貯氷量による氷抽出量の変動を補正し、安定した定量抽出を実現することが可能となる。
【００１７】
特に、請求項３の如く制御装置が複数のスイッチに対応した複数の抽出量にて氷の定量抽出を実行するようにすれば、好みの量の氷を容易に抽出することができるようになり、使用性が著しく良好となる。
【００１８】
また、請求項４の如く制御装置が、推定した貯氷量が所定の下限値より減少した場合、所定の警報動作を行うと共に、扉開放時間を延長するようにすれば、貯氷量の減少を使用者に警告し、且つ、抽出量の確保も行うことができるようになる。
【００１９】
また、請求項５の如く制御装置が、推定した前記貯氷量が下限値よりも少ない補充値より減少した場合、警報動作とは異なる所定の警報動作を行うようにすれば、氷が著しく減少した場合に、異なる警報によって使用者に対し、貯氷庫に氷を補充することを促すことが可能となる。
【００２０】
また、請求項６の如く制御装置が、推定した貯氷量がある状態で電源がＯＦＦされた場合、所定の警報動作を実行するようにすれば、貯氷庫に氷が残存する状態で電源がＯＦＦされた場合に使用者に警告し、貯氷庫内の氷を排出するように促すことが可能となる。
【００２１】
また、請求項７の如く制御装置が、推定した貯氷量がある状態で所定時間以上氷の抽出が無かった場合、所定の警報動作を実行するようにすれば、長時間貯氷庫内に氷が貯溜されて相互に固まってしまうような状況を使用者に警告し、氷が排出されないことを未然に回避することが可能となる。
【００２２】
特に、請求項８の如く外気温度に基づく指標をコンデンサの温度とすることで、格別な外気温度センサなどを設けること無く、コンデンサの温度センサを使用して貯氷量の推定を行うことが可能となり、コストの削減を図ることができる。
【００２３】
請求項９の発明によれば、貯氷庫は、該貯氷庫内の満氷を検知する貯氷センサを備え、制御装置は、貯氷センサの満氷検知に基づき、推定した貯氷量をリセットするので、貯氷庫内が満氷となった場合に、氷の抽出量を初期の設定値に戻すことができ、安定して氷の定量抽出を行うことができるようになる。
【００２４】
請求項１０の発明によれば、貯氷庫は、該貯氷庫内の満氷を検知する貯氷センサを備え、制御装置は、オーガ式製氷機において所定時間連続して製氷を行ったにも拘わらず貯氷センサが満氷を検知しない場合、所定の警報動作を実行するので、貯氷センサの不良や、オーガ式製氷機による製氷不良、若しくは、扉の不良を使用者に警告することができるようになる。
【発明を実施するための最良の形態】
【００２５】
本発明は、係る従来の技術的課題を解決するために成されたものであり、外気温度に影響されることなく定量抽出を行うことができる氷ディスペンサを提供するものである。以下、本発明の実施形態を図面に基づき詳述する。図１は本発明の氷ディスペンサＩＤの正面図、図２はオーガ式製氷機ＩＭの縦断側面図、図３は氷ディスペンサＩＤの部分拡大断面図、図４は氷ディスペンサＩＤの電気回路図を示している。
【００２６】
本実施例の氷ディスペンサＩＤは、前面に氷を抽出する氷抽出ノズル２４を備えた本体２５により構成されており、本体２５内には図示しない飲料水供給手段を備えているものとする。そしてこの氷抽出ノズル２４の下方には、抽出された氷を受容するカップＣなどを載置するカップ支持台２６が設けられている。また、本体２５の前面上部には、コントロールパネル２７が設けられている。このコントロールパネル２７には、複数の、本実施例では３種類の抽出量にて氷の定量抽出を指示するためのＬスイッチ６０、Ｍスイッチ６１、Ｓスイッチ６２が設けられている。また、コントロールパネル２７には、氷と飲料水の両方の抽出を指示する氷水抽出スイッチ６３と、飲料水のみの抽出を指示する水抽出スイッチ６４と、氷の連続抽出を指示する連続スイッチ６５が設けられている。これら各スイッチ６０、６１、６２、６３、６４、６５は、操作スイッチ４８として詳細は後述する操作基板３５に接続される。
【００２７】
この氷ディスペンサＩＤは、オーガ式製氷機ＩＭを搭載しているものであり、該オーガ式製氷機ＩＭは、本体２５内に製氷用水から氷を生成するための冷却器２を備えた製氷部１と、この製氷部１の冷却器２と共に冷凍サイクルを構成するコンデンサ３、コンプレッサ４、及び、膨張弁５、デハイドレータ６とを冷媒配管にて順次接続して冷却装置を構成している。尚、７は前記コンデンサ３を空冷するためのコンデンシングファンである。
【００２８】
また、前記製氷部１に製氷用水（水道水）を供給するために、水道管８に給水弁ＷＶ２を介して接続され、水道水を貯溜するシスターン９が設けられており、このシスターン９には、オーバーフロー管１０が接続されている。更に、このシスターン９内にはその満水位を検出するためのフロートスイッチから成る満水位スイッチ２２と低水位スイッチ２３がそれぞれ設けられている。
【００２９】
また、シスターン９に貯溜された水は、給水管１２にて前記製氷部１に導入され、不要な水は排水管１３にて排水される。この排水管１３は前記オーバーフロー管１０に排水弁ＷＶ１を介して接続されている。
【００３０】
一方、前記製氷部１は、内壁を平滑な円筒状内面とされたステンレス製の冷却円筒１５内にオーガ（回転刃）１６を同心的且つ回転可能に挿入し、前記冷却円筒１５の外壁にはパイプ状の前記冷却器２を螺旋状に密着巻付して構成されている。尚、これら冷却円筒１５と冷却器２との隙間には両者の結合と熱伝達性能の向上を目的としてハンダが注入される。
【００３１】
また、前記オーガ１６は、下部を下部軸受け１７にて、上部を氷圧縮経路を構成する上部軸受け１８にて軸支されている。また、この上部軸受け１８にて圧縮された氷は、その上部に設けられている貯氷庫１９に導出される。
【００３２】
貯氷庫１９は、上面に開口を有する断熱箱体により構成されており、この上面開口には、蓋部材１９Ａが開閉自在に設けられている。また、この蓋部材１９Ａには、貯氷庫１９内の貯氷量を検出する貯氷センサ３３が設けられている。更に、この貯氷庫１９の正面下部には、前記氷抽出ノズル２４が設けられていると共に、この氷抽出ノズル２４には、ソレノイド２８により開閉制御されるシャッタ（扉）２９が設けられている。
【００３３】
前記給水管１２と排水管１３は冷却円筒１５の下部においてその内部にそれぞれ連通すると共に、これらの下方における冷却円筒１５の下部には、更にオーガ１６を回転駆動するためオーガモータ４５（後述）を備える駆動装置２０が減速装置２１を介して接続されている。
【００３４】
次に、図４を参照して氷ディスペンサＩＤの電気回路を説明する。図４において、Ｋはリミットセンサ３０、コンデンサ３の温度を検知するコンデンサセンサ３１、冷却器２の温度を検知する冷却器センサ３２、前記貯氷庫１９内の貯氷量を検知する貯氷センサ３３が接続されたコントロール基板であり、汎用のマイクロコンピュータ（制御手段）から構成され、基板用トランス３４から電源を得ている。
【００３５】
また、前記コントロール基板Ｋには、各センサ３０、３１、３２、３３の他、操作基板３５、表示基板３６、高圧スイッチ３７、及び、前記満水位スイッチ２２、低水位スイッチ２３が接続されている。
【００３６】
３８は運転操作スイッチで、氷ディスペンサＩＤの動作を開始するものである。そして、運転操作スイッチ３８には、前記コンプレッサ４のコンプレッサモータ３９をＯＮ−ＯＦＦするコンプレッサ用リレー接点４０、始動コンデンサ４１、及び、運転コンデンサ４２、コンプレッサモータ始動リレー４３、コンプレッサモータ用オーバーロードリレー４４が直列に接続されている。
【００３７】
更に、コンプレッサモータ始動リレー４３とコンプレッサモータ用オーバーロードリレー４４との間から前記コントロール基板Ｋに接続している。
【００３８】
また、前記コントロール基板Ｋには、前記シャッタ２９のソレノイド２８に接続されたリレーＲ５と、前記オーガモータ４５及び運転コンデンサ４６に接続されたリレーＲ４と、コンデンシングファンモータ５６及びコンプレッサ用リレーＲＬに接続されたリレーＲ３と、排水弁ＷＶ１に接続されたリレーＲ２と、給水弁ＷＶ２に接続されたリレーＲ１とを備えている。尚、コンプレッサ用リレーＲＬは、コンプレッサ用リレー接点４０をＯＮ−ＯＦＦさせるもので、４７は前記オーガモータ４５のオーバーロードリレーである。
【００３９】
また、前記操作基板３５には、コントロールパネル２７に設けられる操作スイッチ４８、リセットスイッチ４９、送りスイッチ５０、排水スイッチ５１、排水ランプ５２がそれぞれ設けられている。更に、５５はオーガモータ４５の通電電流値を検出する電流検出手段としてのカレントトランスであり、コントロール基板Ｋに設けられ、接続されている。尚、コントロール基板Ｋのマイクロコンピュータはその機能として後述する運転時間タイマを備えている。
【００４０】
更に、表示基板３６は、点検ランプ５３、停止ランプ５４を備えると共に、７セグメントの表示構造となっている。尚、点検ランプ５３は他にブザー等で構成しても良い。
【００４１】
また、コントロール基板Ｋには、上述した如き図示しない飲料水供給手段が接続されているものとする。
【００４２】
上述した構造において、本発明の氷ディスペンサＩＤの基本動作を説明する。最初の初回洗浄工程では、低水位スイッチ２３がＯＮとなっており、コントロール基板Ｋのマイクロコンピュータは給水弁ＷＶ２及び排水弁ＷＶ１を開き、冷却円筒１５内に給水すると共に排水を行う。
【００４３】
尚、初回洗浄工程と製氷工程においては、マイクロコンピュータは初期設定状態で排水弁ＷＶ１を１時間毎（定時排水間隔）に３０秒間（定時排水時間）開く排水動作を実行する。それによって、冷却円筒１５内の製氷水を廃棄し、冷却円筒１５内の洗浄を行う。従って、この初回洗浄工程においても排水弁ＷＶ１を３０秒開く。
【００４４】
また、給水弁ＷＶ２は排水弁ＷＶ１が閉じた後も開としており、この初回洗浄工程で満水位スイッチ２２がＯＮされるまで給水される。尚、この給水管１２からの給水量は、排水管１３による排水量より水量が多くなるよう設定されており、そのため、排水弁ＷＶ１が開であっても、給水弁ＷＶ２を開いていると、所定時間経過後、低水位スイッチ２３はＯＦＦとなる。
【００４５】
係る初回洗浄工程開始と同時に、オーガモータ４５へ通電され、オーガ１６が回転駆動される。
【００４６】
また、満水位スイッチ２２がＯＮすると、続いて製氷工程に入り、給水弁ＷＶ２をＯＦＦし、コンプレッサ４（コンプレッサモータ３９）及びファンモータ５６をＯＮして製氷を行う。
【００４７】
この製氷工程においては、オーガ１６により冷却円筒１５の内壁に生成した氷を削取しつつ上方に移送し、上部軸受け１８の氷圧縮経路にて圧縮することによって、連続的に氷片を生成する。生成された氷片はその上部に設けられている貯氷庫１９に導出され、蓄えられる。
【００４８】
係る製氷工程で、シスターン９内の製氷用水が無くなると、低水位スイッチ２３がＯＮし、コントロール基板Ｋのマイクロコンピュータにより給水弁ＷＶ２が開放されて給水が開始され、満水位スイッチ２２がＯＮすると給水弁ＷＶ２が閉じられる。
【００４９】
この製氷、給水の動作を繰り返し、貯氷センサ３３は満氷を検知すると、３０秒間経過後、コントロール基板Ｋのマイクロコンピュータはコンプレッサ４及びファンモータ５６をＯＦＦし、その９０秒間経過後、オーガモータ４５をＯＦＦし、製氷工程（製氷動作）を停止する。
【００５０】
次いで貯氷工程に入り、貯氷センサ３３が満氷検知しなくなってから１５０秒後にコントロール基板Ｋのマイクロコンピュータは製氷開始と判断し、オーガモータ４５をＯＮ、排水弁ＷＶ１を開とする。ここでは、一度排水しているため、低水位スイッチ２３がＯＮとなる。この低水位スイッチ２３がＯＮとなると同時に、コントロール基板Ｋのマイクロコンピュータは給水弁ＷＶ２を開とし、満水位スイッチ２２が満水検知するまで給水を継続する。
【００５１】
満水位スイッチ２２がＯＮすると、再び製氷工程に移行し、コンプレッサ４（コンプレッサモータ３９）及びファンモータ５６をＯＮとして製氷を再開する。
【００５２】
次に、コントロール基板Ｋのマイクロコンピュータによる氷の抽出動作について説明する。コントロール基板Ｋのマイクロコンピュータは、コントロールパネル２７に設けられた定量抽出スイッチ６０、６１、６２の内何れかのスイッチが操作されると、ソレノイド２８に基づきシャッタ２９の開閉動作を行う。
【００５３】
このとき、コントロール基板Ｋのマイクロコンピュータは、コンデンサセンサ３１に基づくコンデンサ３の温度により製氷部１における製氷量を推定すると共に、貯氷庫１９内における氷の融解量を推定する。また、これまでのソレノイド２８に基づくシャッタ２９の開放時間から氷の抽出量を推定する。そして、これら推定された製氷量から融解量と抽出量を減算し、現在の貯氷量を推定する。
【００５４】
そして、推定された現在の貯氷量が所定の下限値を上回っている場合には、予め設定された各スイッチ６０、６１、６２に対応する開放時間だけ前記ソレノイド２８によりシャッタ２９を開放する。他方、推定された現在の貯氷量が所定の下限値より減少した場合には、コントロール基板Ｋのマイクロコンピュータは、予め設定された各スイッチ６０、６１、６２に対応する開放時間を所定時間だけ延長して前記ソレノイド２８によりシャッタ２９を開放する。
【００５５】
これにより、コンデンサ３の温度と、シャッタ２９の積算開放時間に基づき、貯氷庫１９内の貯氷量を推定し、これに基づきシャッタ２９の開放時間を補正するため、コンデンサ３の温度により推定される外気温度に応じて氷の定量抽出を行うことができるようになる。そのため、外気温度が上昇し、製氷部１における製氷量が減少した場合や、貯氷庫１９内における融解量が増加した場合であっても、シャッタ２９の開放時間を延長する補正を行うことで、抽出量の確保を行うことができ、外気温度に影響されない安定した定量抽出を実現することができるようになる。
【００５６】
また、本実施例では、上記に加えて定量抽出を指示する各スイッチ６０、６１、６２に基づき、３種類の抽出量にて氷の定量抽出を実現することができるため、好みの量の氷を容易に抽出することができるようになり、使用性が著しく良好となる。
【００５７】
尚、コントロール基板Ｋのマイクロコンピュータは、上述のように推定した貯氷量が所定の下限値より減少した場合には、表示基板３６において「Ｅ１」などの警報表示を行うものとする。これにより、貯氷量が所定の下限値よりも減少していることを使用者に警告することができるようになる。
【００５８】
また、コントロール基板Ｋのマイクロコンピュータは、上述のように推定した貯氷量が所定の下限値より更に少ない補充値より減少した場合には、表示基板３６において「Ｅ２」などの警報表示を行うものとする。これにより、氷が著しく減少した場合に、使用者に対し、貯氷庫１９に氷を補充することを促すことができるようになる。尚、貯氷庫１９への氷の補充を行う際には、貯氷庫１９の上面に設けられた蓋部材１９Ａを開放することにより行うものとする。
【００５９】
更に、コントロール基板Ｋのマイクロコンピュータは、上述のように推定した貯氷量がある状態で運転操作スイッチ（電源）３８がＯＦＦされた場合には、表示基板３６において「Ｅ３」などの警報表示を行うものとする。これにより、貯氷庫１９に氷が残存する状態で電源がＯＦＦされたことを使用者に警告することができ、貯氷庫１９内の氷を排出するように促すことができるようになる。
【００６０】
また、コントロール基板Ｋのマイクロコンピュータは、上述のように推定した貯氷量がある状態で所定時間、例えば一日以上ソレノイド２８によるシャッタ２９の開閉動作が行われず、氷の抽出が無かった場合には、表示基板３６において「Ｅ４」などの警報表示を行うものとする。これにより、長時間貯氷庫１９内に氷が貯溜されて相互に固まってしまうような状況を使用者に警告し、氷が排出されないことを未然に回避することが可能となる。
【００６１】
尚、コントロール基板Ｋのマイクロコンピュータは、貯氷センサ３３が所定の満氷を検出した際には、シャッタ２９の積算開放時間と、推定融解量及び推定製氷量をリセットし、貯氷量を満氷とするものとする。これにより、氷の抽出量を初期の設定値に戻すことができ、以後推定される貯氷量の精度を上げることができる。これにより、長期間安定した氷の定量抽出を実現することができるようになる。
【００６２】
また、コントロール基板Ｋのマイクロコンピュータは、所定時間連続してオーガモータ４５及びコンプレッサ４を運転しているにもかかわらず、貯氷センサ３３が満氷を検出しない場合には、表示基板３６において「Ｅ５」などの警報表示を行うものとする。これにより、貯氷センサ３３の不良や、オーガ式製氷機ＩＭによる製氷不良、若しくは、シャッタ２９の不良により氷が必要以上に放出されていることを使用者に警告することができるようになる。
【００６３】
尚、本実施例では、コンデンサ３の温度を外気温度に基づく指標としているので、格別な外気温度センサなどを設けること無く、コンデンサセンサ３１を使用して貯氷量の推定を行うことが可能となり、コストの削減を図ることができる。
【図面の簡単な説明】
【００６４】
【図１】本発明の氷ディスペンサの正面図である。
【図２】オーガ式製氷機の縦断側面図である。
【図３】本発明の氷ディスペンサの部分拡大断面図である。
【図４】本発明の氷ディスペンサの電気回路図である。
【符号の説明】
【００６５】
ＩＤ  氷ディスペンサ
ＩＭ  オーガ式製氷機
Ｃ    カップ
Ｋ    コントロール基板
ＷＶ１  排水弁
ＷＶ２  給水弁
１    製氷部
２    冷却器
３    コンデンサ
４    コンプレッサ
５    膨張弁
１５  冷却円筒
１６  オーガ
１９  貯氷庫
１９Ａ  蓋部材
２４  氷抽出ノズル
２５  本体
２６  カップ支持台
２７  コントロールパネル
２８  ソレノイド
２９  シャッタ（扉）
３１  コンデンサセンサ
３２  冷却器センサ
３３  貯氷センサ
３４  基板用トランス
３５  操作基板
３６  表示基板
３８  運転操作スイッチ
４５  オーガモータ
４８  操作スイッチ
６０、６１、６２  定量抽出スイッチ
６３  氷水抽出スイッチ
６４  水抽出スイッチ
６５  連続スイッチ
【図１】
2005257159.tif 000003
【図２】
2005257159.tif 000004
【図３】
2005257159.tif 000005
【図４】
2005257159.tif 000006